(57)【要約】【課題】番組内容を示すカーソル位置と時間帯表示欄を近接させ、見やすい番組表示を行うようにした電子番組表表示方法を得る。【解決手段】画面の垂直方向または水平方向にチャンネルを特定するチャンネル表示欄１０２を配置し、このチャンネル表示欄１０２と交差する方向に時間帯表示欄１０３を配置し、各チャンネル情報と時間帯に対応する番組情報を配置した電子番組表で、カーソル１０６により任意の番組を選択すると、選択された番組が含まれるチャンネルに隣接するように時間帯表示欄１０３が移動するようにしたものである。【選択図】図１
2007300357.tif 000002
【特許請求の範囲】
【請求項１】
画面の垂直方向または水平方向にチャンネルを表示するチャンネル表示欄を配置し、このチャンネル表示欄と交差する方向に時間帯を表示する時間帯表示欄を配置し、各チャンネルと時間帯に対応する番組情報を配置した電子番組表を表示する電子番組表表示方法において、番組指定手段により指定された番組情報に近接するように上記時間帯表示欄を移動することを特徴とする電子番組表表示方法。
【請求項２】
上記時間帯表示欄に近接して番組開始時間を表示する番組開始時間欄を設け、この番組開始時間欄が上記時間帯表示欄とともに移動することを特徴とする請求項１記載の電子番組表表示方法。
【請求項３】
上記時間帯表示欄に近接して番組予約状況を表示する予約登録情報欄を設け、この予約登録情報欄が上記時間帯表示欄とともに移動することを特徴とする請求項１記載の電子番組表表示方法。
【請求項４】
請求項１〜請求項３のいずれかに記載の電子番組表表示方法を有することを特徴とするテレビジョン受信機。
【発明の詳細な説明】
【技術分野】
【０００１】
この発明は、デジタル放送受信機などの画面に電子番組表を表示する電子番組表表示方法及び当該方法を用いたテレビジョン受信機に関するものである。
【背景技術】
【０００２】
従来の電子番組表の表示方法としては、特許文献１に、番組受信システムにおいて、番組表表示モードに切換えて番組表表示画面を表示し、カーソルを移動して番組を選択する手段と、現在視聴している番組に色をつけて表示する手段とを備えたものが記載されている。
特許文献１に記載されている電子番組表の放送時間表示欄は、画面上の固定領域に表示され、カーソルが電子番組表のどの位置に移動していても、その表示位置を変化させることはない。
また、特許文献２には、縦軸に、番組表の端またはチャンネル欄の途中に時刻欄を配置し、カーソルによる選択に合わせてチャンネル欄をスクロールさせるものが示されている。
【０００３】
【特許文献１】特開２００５−２０２４５号公報（段落番号０００７〜００１３、図１）
【特許文献２】特開平０８−２５１４９６号公報（段落番号００１５〜００５４、図６）
【発明の開示】
【発明が解決しようとする課題】
【０００４】
特許文献１に示される従来の電子番組表表示方法では、ユーザーが選択しているカーソル位置と、時刻欄との距離が離れてしまう場合があり、カーソルにより選択されている番組の放送開始・終了時間を確認しにくいという問題があった。
また、特許文献２のものでは、所定のチャンネルが時刻欄に近接するまでスクロールするためのカーソルの操作が必要になるとともに、チャンネル欄がスクロールされるため、番組表示全体が見難くくなるという問題があった。
【０００５】
この発明は、上述のような課題を解決するためになされたものであり、番組内容を指定するカーソル位置と時間帯表示欄を近接させ、見やすい番組表示を行うようにした電子番組表表示方法及び当該方法を用いたテレビジョン受信機を得ることを目的にしている。
【課題を解決するための手段】
【０００６】
この発明に係わる電子番組表表示方法においては、画面の垂直方向または水平方向にチャンネルを表示するチャンネル表示欄を配置し、このチャンネル表示欄と交差する方向に時間帯を表示する時間帯表示欄を配置し、各チャンネルと時間帯に対応する番組情報を配置した電子番組表を表示する電子番組表表示方法において、番組指定手段により指定された番組情報に近接するように時間帯表示欄を移動するものである。
【発明の効果】
【０００７】
この発明は、以上説明したように、画面の垂直方向または水平方向にチャンネルを表示するチャンネル表示欄を配置し、このチャンネル表示欄と交差する方向に時間帯を表示する時間帯表示欄を配置し、各チャンネルと時間帯に対応する番組情報を配置した電子番組表を表示する電子番組表表示方法において、番組指定手段により指定された番組情報に近接するように時間帯表示欄を移動するので、番組指定手段により指定した番組の時間帯を確認しやすいという効果がある。
【発明を実施するための最良の形態】
【０００８】
実施の形態１．
以下、実施の形態１について図を用いて説明する。
図１は、この発明の実施の形態１による電子番組表表示方法を示す図であり、図１（Ａ）は、カーソルがチャンネルＡを指定している状態の図、図１（Ｂ）は、カーソルがチャンネルＢを指定している状態の図である。図１（Ｂ）では、時間帯表示欄１０３が、チャンネルＡ番組内容表示部１０４とチャンネルＢ番組内容表示部１０５との間に表示されている。
図１において、電子番組表全体１０１には、画面の垂直方向（または水平方向でもよい）に配置された、チャンネルを表示するチャンネル表示欄１０２と、このチャンネル表示欄１０２と直行する方向に配置された、時間帯を表示する時間帯表示欄１０３と、チャンネルＡの番組の開始時刻と番組名を連続的に表示したチャンネルＡ番組内容表示部１０４と、チャンネルＢの番組の開始時刻と番組名を連続的に表示したチャンネルＢ番組内容表示部１０５とが含まれ、カーソル１０６（番組指定手段）によって任意の番組が選択される。
【０００９】
図２は、この発明の実施の形態１による電子番組表図１（Ｂ）の別の表示方法を示す図である。
図２において、１０１〜１０６は図１におけるものと同一のものである。図２では、時間帯表示欄１０３がチャンネルＡ番組内容表示部１０４の中に表示されている。
図３は、この発明の実施の形態１による電子番組表のカーソル移動の動作を示すフローチャートである。
【００１０】
次に、動作について説明する。
図１（Ａ）は、番組を選択するカーソル１０６が、チャンネルＡの番組Ａ７−１を指定している状態である。この状態でユーザーがリモートコントローラ等を用いて、右方向にカーソル１０６を移動する指示を送ると、図１（Ｂ）に示すように、チャンネルＢの番組Ｂ７−１にカーソル１０６が移動し、カーソル１０６と連動して時間帯表示欄１０３もカーソル１０６で選択されている番組に隣接する位置に移動する。
【００１１】
図１（Ｂ）では、カーソル１０６と連動して移動する時間帯表示欄１０３が、チャンネルＡ番組内容表示部１０４とチャンネルＢ番組内容表示部１０５との間に、表示が重ならないように配置されているが、図２のように、チャンネルＡ番組内容表示部１０４と少なくとも一部が重なるように配置してもよい。
また、チャンネルＡ番組内容表示部１０４の表示領域を縮小し、チャンネルＢ番組内容表示部１０５との間に時間帯表示欄１０３を配置するようにしても、図２と同様の効果が得られる。
【００１２】
次に、図１（Ａ）の表示状態から図１（Ｂ）の表示状態に至る場合の処理内容を、図３に示すフローチャートを用いて説明する。
図１（Ａ）の電子番組表表示状態において、先ず、ステップ３０１で、ユーザー操作を待ち受ける。ユーザー操作を検知した場合は、ステップ３０２に進み、ユーザー操作を検知できなかった場合は、再度ユーザー操作待ち受け状態ステップ３０１に進む。
【００１３】
ステップ３０２では、ユーザー操作の内容が、カーソル移動であるか判定を行い、カーソル移動の場合は、ステップ３０３に進む。ユーザー操作の内容がカーソル移動以外の処理の場合は、ステップ３０４に進み、ユーザー操作の内容に適した処理を行って、再度、ユーザー操作待ち受け状態ステップ３０１に進む。
ステップ３０３では、カーソル移動の方向が左右どちらの方向であるかの判定を行い、右方向の場合は、ステップ３０５に、左方向の場合は、ステップ３０９に進む。
【００１４】
ステップ３０３で、カーソル移動の方向が右方向であった場合、ステップ３０５では、現在カーソルが当っている番組の表示位置が電子番組表の右端であるかどうかの判定を行い、右端の場合は、ステップ３０８、右端以外の場合は、ステップ３０６に進む。
【００１５】
ステップ３０６では、現在のカーソル位置の右側に表示されている番組にカーソル位置を変更し、ステップ３０７に進む。
ステップ３０７では、時間帯表示欄の位置をカーソル移動した番組に隣接するよう、右側に移動する。
【００１６】
一方、ステップ３０５の判定にて、カーソル位置が番組表の右端にある場合、ステップ３０８で、カーソルの表示位置は変更せずに、チャンネル表示欄１０２の表示内容および番組内容表示位置を左側にシフトさせることで、擬似的にカーソル移動したように表示する。この時、時間帯表示欄１０３の表示位置は変更しない。
【００１７】
また、ステップ３０３の判定において、カーソル移動方向が左方向の場合、ステップ３０５〜ステップ３０８の処理と同様に、ステップ３０９〜ステップ３１２の処理を行う。
【００１８】
カーソルの左右移動処理終了後は、再度、ユーザー操作待ち受け状態ステップ３０１に進む。
これら一連のユーザー操作受け付け処理は、ユーザー操作または電子番組表を搭載する装置からの内部指示により、電子番組表が終了するまで繰り返し行われる。
【００１９】
実施の形態１によれば、このように電子番組表を表示することで、ユーザーが電子番組表のどの位置の番組を選択していても隣接する領域に時間帯の表示があるため、番組の放送時間を確認するために目線を移動する必要がなく、番組の放送時間を把握することが容易になる。
【００２０】
実施の形態２．
図４は、この発明の実施の形態２による電子番組表表示方法を示す図である。
図４において、１０１〜１０３、１０６は図１におけるものと同一のものである。図４では、時間帯表示欄１０３に隣接して番組開始時間表示４０２を設け、カーソルの移動にしたがって移動するようにしている。このため、図４では、チャンネルＢ番組内容表示部４０３は、チャンネルＢの番組名を連続的に表示しただけで、開始時間を持たないようにしている。
【００２１】
実施の形態２は、ユーザーがカーソル１０６を移動したときに、連動して時間帯表示欄１０３も移動する点は、実施の形態１と同様である。実施の形態１と異なる点は、時間帯表示欄１０３に隣接して、チャンネルの番組開始時間表示４０２を追加し、各チャンネルの番組内容表示部（例えば、チャンネルＢ番組内容表示部４０３）から番組の開始時間の表示を削除した点である。
この番組開始時間表示４０２も、カーソル１０６の移動にしたがって、時間帯表示欄１０３とともに移動する。
【００２２】
実施の形態２によれば、このように電子番組表を表示することで、テレビ画面など限られた領域に電子番組表を表示する場合に、各チャンネルの番組情報から番組開始時間を除くことができ、このため、各チャンネルにおける番組名の表示文字数をより多くできる。
【００２３】
実施の形態３．
図５は、この発明の実施の形態３である電子番組表表示方法を示す図である。
図５において、１０１〜１０６は図１におけるものと同一のものである。図５では、予約登録情報５０２が設けられている。
【００２４】
実施の形態３では、ユーザーがカーソル１０６を移動したときに、連動して時間帯表示欄１０３も移動する点は、実施の形態１と同様である。実施の形態１と異なるのは、時間帯表示欄１０３に隣接して、時間帯表示欄１０３と共に移動する予約登録情報５０２を追加した点である。このため、カーソル１０６を移動させれば、時間帯表示欄１０３とともに予約登録情報５０２も移動する。
【００２５】
予約登録情報５０２には、予約されたチャンネルや予約方法の違い（番組指定予約や時刻指定予約）を問わず、電子番組表で表示中の時間帯における予約の有無を予約の種類（視聴予約や録画予約）ごとに集計し、その結果を予約登録の時間に比例した長さの矩形で表示する。
図５の例では、ＰＭ６：３０からＰＭ７：３０まで視聴予約、ＰＭ７：３０からＰＭ８：３０まで録画予約、ＰＭ８：３０からＰＭ９：００まで視聴予約が設定されていることを示している。
【００２６】
実施の形態３によれば、このように電子番組表を表示することで、ユーザーが選択している番組の放送時間帯にすでに登録済みの他の予約登録が存在するかどうかを容易に確認することができる。
【図面の簡単な説明】
【００２７】
【図１】この発明の実施の形態１による電子番組表表示方法を示す図である。
【図２】この発明の実施の形態１による電子番組表図１（Ｂ）の別の表示方法を示す図である。
【図３】この発明の実施の形態１による電子番組表のカーソル移動の動作を示すフローチャートである。
【図４】この発明の実施の形態２による電子番組表表示方法を示す図である。
【図５】この発明の実施の形態３である電子番組表表示方法を示す図である。
【符号の説明】
【００２８】
１０１  電子番組表全体
１０２  チャンネル表示
１０３  時間帯表示欄
１０４  チャンネルＡ番組内容表示部
１０５  チャンネルＢ番組内容表示部
１０６  カーソル
４０２  番組開始時間表示
４０３  チャンネルＢ番組内容表示部
５０２  予約登録情報
【図１】
2007300357.tif 000003
【図２】
2007300357.tif 000004
【図３】
2007300357.tif 000005
【図４】
2007300357.tif 000006
【図５】
2007300357.tif 000007